【事件の表示】
　平成　９年特許願第１５７９２２号「インターネット用ブラウザ、インターネット用ブラウザのアドレス指定方法および記憶媒体」拒絶査定不服審判事件〔平成１０年１２月１８日出願公開、特開平１０−３３４１２０〕について、次のとおり審決する。
【結　論】
　本件審判の請求は、成り立たない。
【理　由】
１．手続の経緯
　本願は、平成９年６月２日の出願であって、平成１６年２月２３日付で拒絶査定がなされ（発送日同年２月２７日）、これに対し、同年３月２９日に拒絶査定不服審判の請求がなされるとともに、同年４月２６日付で手続補正がなされたものである。
　
２．平成１６年４月２６日付の手続補正についての補正却下の決定
［補正却下の決定の結論］
　平成１６年４月２６日付の手続補正を却下する。
［理由］
（２−１）平成１６年４月２６日付の手続補正書により補正された本願発明
　本件補正前の特許請求の範囲は、平成１６年１月２７日付手続補正書の特許請求の範囲に記載された、以下のとおりのものであった。
「【請求項１】　指定されたアドレスのインタネットのホームページを参照するネットワークアクセス手段と、
　前記参照したホームページの内、特定ホームページのアドレスを、該特定ホームページに対する参照日時の情報と共にブックマークファイルに登録するブックマーク管理手段と、
　前記ブックマークファイル内のブックマークエントリを、前記参照日時情報に基づき参照時間順に並び替える第１アドレスソート手段とを具備し、
　前記ブックマーク管理手段は、複数のブックマークエントリを関連づけた別のブックマークエントリを前記ブックマークファイルに登録することを特徴とするインターネット用ブラウザ。
　　【請求項２】　指定されたアドレスのインタネットのホームページを参照するネットワークアクセス手段と、
　前記参照したホームページの内、特定ホームページのアドレスを、該特定ホームページに対する参照回数の情報と共にブックマークファイルに登録するブックマーク管理手段と、
　前記ブックマークファイル内のブックマークエントリを、前記参照回数情報に基づき参照頻度順に並び替える第２アドレスソート手段とを具備し、
　前記ブックマーク管理手段は、複数のブックマークエントリを関連づけた別のブックマークエントリを前記ブックマークファイルに登録することを特徴とするインターネット用ブラウザ。
　　【請求項３】　指定されたアドレスのインタネットのホームページを参照するネットワークアクセス手段と、
　前記参照したホームページの内、特定ホームページのアドレスを、該特定ホームページに対する参照日時および参照回数の情報と共にブックマークファイルに登録するブックマーク管理手段と、
　前記ブックマークファイル内のブックマークエントリを、参照時間順、参照頻度順または前記アドレス名のアルファベット順に並び替えるアドレスソート手段とを具備し、
　前記ブックマーク管理手段は、複数のブックマークエントリを関連づけた別のブックマークエントリを前記ブックマークファイルに登録することを特徴とするインターネット用ブラウザ。
　　【請求項４】　指定されたアドレスのインタネットのホームページを参照するネットワークアクセスステップと、
　前記参照したホームページの内、特定ホームページのアドレスを、該特定ホームページに対する参照日時の情報と共にブックマークファイルに登録するブックマーク登録ステップと、
　前記ブックマークファイル内のブックマークエントリを、前記参照日時情報に基づき参照時間順に並び替える第１アドレスソートステップとを具備し、
　前記ブックマーク登録ステップは、複数のブックマークエントリを関連づけた別のブックマークエントリを前記ブックマークファイルに登録するステップを含むことを特徴とするインターネット用ブラウザのアドレス指定方法。
　　【請求項５】　指定されたアドレスのインタネットのホームページを参照するネットワークアクセスステップと、
　前記参照したホームページの内、特定ホームページのアドレスを、該特定ホームページに対する参照回数の情報と共にブックマークファイルに登録するブックマーク登録ステップと、
　前記ブックマークファイル内のブックマークエントリを、前記参照回数情報に基づき参照頻度順に並び替える第２アドレスソートステップとを具備し、
　前記ブックマーク登録ステップは、複数のブックマークエントリを関連づけた別のブックマークエントリを前記ブックマークファイルに登録するステップを含むことを特徴とするインターネット用ブラウザのアドレス指定方法。
　　【請求項６】　指定されたアドレスのインタネットのホームページを参照するネットワークアクセスステップと、
　前記参照したホームページの内、特定ホームページのアドレスを、該特定ホームページに対する参照日時および参照回数の情報と共にブックマークファイルに登録するブックマーク管理ステップと、
　前記ブックマークファイル内のブックマークエントリを、参照時間順、参照頻度順または前記アドレス名のアルファベット順に並び替えるアドレスソートステップとを具備し、　前記ブックマーク登録ステップは、複数のブックマークエントリを関連づけた別のブックマークエントリを前記ブックマークファイルに登録するステップを含むことを特徴とするインターネット用ブラウザのアドレス指定方法。
　　【請求項７】　コンピュータに、
　指定されたアドレスのインタネットのホームページを参照するネットワークアクセスステップと、
　前記参照したホームページの内、特定ホームページのアドレスを、該特定ホームページに対する参照日時の情報と共にブックマークファイルに登録するブックマーク登録ステップと、
　前記ブックマークファイル内のブックマークエントリを、前記参照日時情報に基づき参照時間順に並び替える第１アドレスソートステップと、
　を実行させるためのプログラムが記録され、かつ前記プログラムに含まれる前記ブックマーク登録ステップは、複数のブックマークエントリを関連づけた別のブックマークエントリを前記ブックマークファイルに登録するステップを含むことを特徴とする記録媒体。
　　【請求項８】　コンピュータに、
　指定されたアドレスのインタネットのホームページを参照するネットワークアクセスステップと、
　前記参照したホームページの内、特定ホームページのアドレスを、該特定ホームページに対する参照回数の情報と共にブックマークファイルに登録するブックマーク登録ステップと、
　前記ブックマークファイル内のブックマークエントリを、前記参照回数情報に基づき参照頻度順に並び替える第２アドレスソートステップと、
　を実行させるためのプログラムが記録され、かつ前記プログラムに含まれる前記ブックマーク登録ステップは、複数のブックマークエントリを関連づけた別のブックマークエントリを前記ブックマークファイルに登録するステップを含むことを特徴とする記録媒体。
　　【請求項９】　コンピュータに、
　指定されたアドレスのインタネットのホームページを参照するネットワークアクセスステップと、
　前記参照したホームページの内、特定ホームページのアドレスを、該特定ホームページに対する参照日時および参照回数の情報と共にブックマークファイルに登録するブックマーク管理ステップと、
　前記ブックマークファイル内のブックマークエントリを、参照時間順、参照頻度順または前記アドレス名のアルファベット順に並び替えるアドレスソートステップと、
　を実行させるためのプログラムが記録され、かつ前記プログラムに含まれる前記ブックマーク登録ステップは、複数のブックマークエントリを関連づけた別のブックマークエントリを前記ブックマークファイルに登録するステップを含むことを特徴とする記録媒体。」
　
　本件補正により、特許請求の範囲は、下記のように補正された。
「【請求項１】　指定されたアドレスのインタネットのホームページを参照するネットワークアクセス手段と、
　前記参照したホームページの内、特定ホームページのアドレスを、該特定ホームページに対する参照日時の情報と共にブックマークファイルに登録すると共に、複数のブックマークエントリを関連づけた別のブックマークエントリを前記ブックマークファイルに登録するブックマーク管理手段と、
　前記ブックマークファイル内のブックマークエントリを、前記参照日時情報に基づき参照時間順に並び替える第１アドレスソート手段と、
　ブックマーク表示されたブックマークリストから所望のブックマークを選択するための操作に応答して、選択されたブックマークについて、その属性から、通常の単一のブックマークか、あるいは関連ページ付きブックマークかを判断する判断手段と、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示制御手段と、を具備する、ことを特徴とするインターネット用ブラウザ。
　　【請求項２】　指定されたアドレスのインタネットのホームページを参照するネットワークアクセス手段と、
　前記参照したホームページの内、特定ホームページのアドレスを、該特定ホームページに対する参照回数の情報と共にブックマークファイルに登録すると共に、複数のブックマークエントリを関連づけた別のブックマークエントリを前記ブックマークファイルに登録するブックマーク管理手段と、
　前記ブックマークファイル内のブックマークエントリを、前記参照回数情報に基づき参照頻度順に並び替える第２アドレスソート手段と、
　ブックマーク表示されたブックマークリストから所望のブックマークを選択するための操作に応答して、選択されたブックマークについて、その属性から、通常の単一のブックマークか、あるいは関連ページ付きブックマークかを判断する判断手段と、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示制御手段と、を具備する、ことを特徴とするインターネット用ブラウザ。することを特徴とするインターネット用ブラウザ。
　　【請求項３】　指定されたアドレスのインタネットのホームページを参照するネットワークアクセス手段と、
　前記参照したホームページの内、特定ホームページのアドレスを、該特定ホームページに対する参照日時および参照回数の情報と共にブックマークファイルに登録すると共に、複数のブックマークエントリを関連づけた別のブックマークエントリを前記ブックマークファイルに登録するブックマーク管理手段と、
　前記ブックマークファイル内のブックマークエントリを、参照時間順、参照頻度順または前記アドレス名のアルファベット順に並び替えるアドレスソート手段と、
　ブックマーク表示されたブックマークリストから所望のブックマークを選択するための操作に応答して、選択されたブックマークについて、その属性から、通常の単一のブックマークか、あるいは関連ページ付きブックマークかを判断する判断手段と、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示制御手段と、を具備する、ことを特徴とするインターネット用ブラウザ。
　　【請求項４】　指定されたアドレスのインタネットのホームページを参照するネットワークアクセスステップと、
　前記参照したホームページの内、特定ホームページのアドレスを、該特定ホームページに対する参照日時の情報と共にブックマークファイルに登録すると共に、複数のブックマークエントリを関連づけた別のブックマークエントリを前記ブックマークファイルに登録するブックマーク管理ステップと、
　前記ブックマークファイル内のブックマークエントリを、前記参照日時情報に基づき参照時間順に並び替える第１アドレスソートステップと、
　ブックマーク表示されたブックマークリストから所望のブックマークを選択するための操作に応答して、選択されたブックマークについて、その属性から、通常の単一のブックマークか、あるいは関連ページ付きブックマークかを判断するブックマーク判断ステップと、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示ステップと、を具備する、ことを特徴とするインターネット用ブラウザのアドレス指定方法。
　　【請求項５】　指定されたアドレスのインタネットのホームページを参照するネットワークアクセスステップと、
　前記参照したホームページの内、特定ホームページのアドレスを、該特定ホームページに対する参照回数の情報と共にブックマークファイルに登録すると共に、複数のブックマークエントリを関連づけた別のブックマークエントリを前記ブックマークファイルに登録するブックマーク管理ステップと、
　前記ブックマークファイル内のブックマークエントリを、前記参照回数情報に基づき参照頻度順に並び替える第２アドレスソートステップと、
　ブックマーク表示されたブックマークリストから所望のブックマークを選択するための操作に応答して、選択されたブックマークについて、その属性から、通常の単一のブックマークか、あるいは関連ページ付きブックマークかを判断するブックマーク判断ステップと、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示ステップと、を具備する、ことを特徴とするインターネット用ブラウザのアドレス指定方法。
　　【請求項６】　指定されたアドレスのインタネットのホームページを参照するネットワークアクセスステップと、
　前記参照したホームページの内、特定ホームページのアドレスを、該特定ホームページに対する参照日時および参照回数の情報と共にブックマークファイルに登録すると共に、複数のブックマークエントリを関連づけた別のブックマークエントリを前記ブックマークファイルに登録するブックマーク管理ステップと、
　前記ブックマークファイル内のブックマークエントリを、参照時間順、参照頻度順または前記アドレス名のアルファベット順に並び替えるアドレスソートステップと、
　ブックマーク表示されたブックマークリストから所望のブックマークを選択するための操作に応答して、選択されたブックマークについて、その属性から、通常の単一のブックマークか、あるいは関連ページ付きブックマークかを判断するブックマーク判断ステップと、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示ステップと、を具備する、ことを特徴とするインターネット用ブラウザのアドレス指定方法。
　　【請求項７】　コンピュータに、
　指定されたアドレスのインタネットのホームページを参照するネットワークアクセスステップと、
　前記参照したホームページの内、特定ホームページのアドレスを、該特定ホームページに対する参照日時の情報と共にブックマークファイルに登録すると共に、複数のブックマークエントリを関連づけた別のブックマークエントリを前記ブックマークファイルに登録するブックマーク管理ステップと、
　前記ブックマークファイル内のブックマークエントリを、前記参照日時情報に基づき参照時間順に並び替える第１アドレスソートステップと、
　ブックマーク表示されたブックマークリストから所望のブックマークを選択するための操作に応答して、選択されたブックマークについて、その属性から、通常の単一のブックマークか、あるいは関連ページ付きブックマークかを判断するブックマーク判断ステップと、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示ステップと、
　を実行させるためのプログラムが記録されたことを特徴とする記録媒体。
　　【請求項８】　コンピュータに、
　指定されたアドレスのインタネットのホームページを参照するネットワークアクセスステップと、
　前記参照したホームページの内、特定ホームページのアドレスを、該特定ホームページに対する参照回数の情報と共にブックマークファイルに登録すると共に、複数のブックマークエントリを関連づけた別のブックマークエントリを前記ブックマークファイルに登録するブックマーク管理ステップと、
　前記ブックマークファイル内のブックマークエントリを、前記参照回数情報に基づき参照頻度順に並び替える第２アドレスソートステップと、
　ブックマーク表示されたブックマークリストから所望のブックマークを選択するための操作に応答して、選択されたブックマークについて、その属性から、通常の単一のブックマークか、あるいは関連ページ付きブックマークかを判断するブックマーク判断ステップと、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示ステップと、
　を実行させるためのプログラムが記録されたことを特徴とする記録媒体。
　　【請求項９】　コンピュータに、
　指定されたアドレスのインタネットのホームページを参照するネットワークアクセスステップと、
　前記参照したホームページの内、特定ホームページのアドレスを、該特定ホームページに対する参照日時および参照回数の情報と共にブックマークファイルに登録すると共に、複数のブックマークエントリを関連づけた別のブックマークエントリを前記ブックマークファイルに登録するブックマーク管理ステップと、
　前記ブックマークファイル内のブックマークエントリを、参照時間順、参照頻度順または前記アドレス名のアルファベット順に並び替えるアドレスソートステップと、
　ブックマーク表示されたブックマークリストから所望のブックマークを選択するための操作に応答して、選択されたブックマークについて、その属性から、通常の単一のブックマークか、あるいは関連ページ付きブックマークかを判断するブックマーク判断ステップと、
　単一のブックマークと判断される場合には、通常通り、ブラウザ上にそのページを表示する一方、関連ページ付きブックマークと判断される場合には、当該関連の「親」に当たるページをブラウザ上に表示し、新規プロセスとして新しいブラウザを立ち上げて、親ページと関連を持つ「子」に当たるページを引数として渡し、新しいブラウザ上に子ページを表示させるページ表示ステップと、
　を実行させるためのプログラムが記録されたことを特徴とする記録媒体。」
　
（２−２）本件補正の目的の検討
　上記補正の目的について、請求人は、審判請求の理由において、特に言及していないので、まず、特許請求の範囲の減縮を目的とするものであるか否かについて検討する。
　
（２−２−１）特許請求の範囲の減縮　
　本件補正は、請求項１に記載した発明を特定する事項である「判断手段」及び「ページ表示制御手段」を新たに追加しており、新たな技術的事項を追加する補正となっている。
　請求項２及び３についても、請求項１と同様に、発明を特定する事項である「判断手段」及び「ページ表示制御手段」を新たに追加しており、新たな技術的事項を追加する補正となっている。
　請求項４では、本件補正により、請求項４に記載した発明を特定する事項である「ブックマーク判断ステップ」及び「ページ表示ステップ」を新たに追加しており、新たな技術的事項を追加する補正となっている。
　請求項５ないし９についても、請求項４と同様に、発明を特定する事項である「ブックマーク判断ステップ」及び「ページ表示ステップ」を新たに追加しており、新たな技術的事項を追加する補正となっている。
　したがって、本件補正は、特許請求の範囲の減縮を目的とするものとはいえない。
　
（２−２−２）明瞭でない記載の釈明
　平成１５年１２月４日付けで審査官が起案した拒絶理由通知書では、特許法第２９条第２項の規定を満たしていない旨の拒絶の理由を通知しているのみであり、特許請求の範囲の記載が不明瞭である（特許法第３６条第６項第２号等に規定する要件を満たしていない）旨の拒絶の理由は、通知していない。
　したがって、特許請求の範囲を補正する本件補正は、「拒絶理由通知に係る拒絶の理由に示す事項についてするもの」とはいえないから、平成１８年改正前特許法第１７条の２第４項第４号に規定する「明りょうでない記載の釈明（拒絶理由通知に係る拒絶の理由に示す事項についてするものに限る）」に該当しない。
　
（２−２−３）請求項の削除、誤記の訂正
　本件補正は、請求項の削除でもなく、誤記の訂正でもないことは、明らかである。
　
（２−２−４）補正の目的違反による補正の却下
　よって、本件補正は、平成１８年改正前特許法第１７条の２第４項第１号ないし第４号のいずれの事項をも目的とするものではないから、平成１８年改正前特許法第１７条の２第４項に規定する要件を満たしておらず、同法第１５９条第１項において読み替えて準用する同法第５３条第１項の規定により、却下すべきものである。
　
３．本願発明について
　平成１６年４月２６日付の手続補正は上記のとおり却下されたので、本願の請求項２に係る発明（以下、「本願発明」という。）は、平成１６年１月２７日付手続補正書の特許請求の範囲の請求項２に記載された事項により特定される、以下のとおりのものである。
「【請求項２】　指定されたアドレスのインタネットのホームページを参照するネットワークアクセス手段と、
　前記参照したホームページの内、特定ホームページのアドレスを、該特定ホームページに対する参照回数の情報と共にブックマークファイルに登録するブックマーク管理手段と、
　前記ブックマークファイル内のブックマークエントリを、前記参照回数情報に基づき参照頻度順に並び替える第２アドレスソート手段とを具備し、
　前記ブックマーク管理手段は、複数のブックマークエントリを関連づけた別のブックマークエントリを前記ブックマークファイルに登録することを特徴とするインターネット用ブラウザ。」
　
４．原査定の理由
　  原査定では、下記の引用文献１ないし４に記載された発明および周知の技術に基づいて、当業者が容易に発明できたものであるから、特許法第２９条第２項の規定により、本願発明は、特許できないとしている。
　　　　　　　　　　　　　　　　　　　記
　１.　発明協会公開技報公技番号　９６−１０２６３号
　２.　特開平７−１３４７１７号公報
　３.　特開平８−　２２４７３号公報
　４.　特開平９−　９１３０８号公報
周知技術
　特開平５−　２８２４０号公報
　特開平６−２７４５４３号公報
　
５．引用発明
（５−１）引用例１
　原査定で引用された発明協会公開技報公技番号９６−１０２６３号（以下、引用例１という。）には、図面と共に以下の記載がある。
　
（ア）
「［目的］
　従来のWWWブラウザのブックマーク機能では、ブックマークをつけて保存しておいたＵＲＬがもはや存在しなくなったときにもブックマーク一覧の中に残り続ける。
［構成］
　本技術のブックマーク自動更新方式では、あるＵＲＬがもはや存在しないとわかった時点でそのブックマークを削除するか、またはそのＵＲＬで指定されていたサイトの、ホームページのＵＲＬに更新する。
　本技術のブックマーク自動更新方式によるWWWブラウザは、処理確認部（１）とブックマーク更新部（２）とブックマーク削除部（３）とを備えている（図１）。
　WWWブラウザで、あるブックマークがつけられたＵＲＬへ接続する際、そのＵＲＬで指定したＨＴＭＬファイルが見つからない場合に、まず処理確認部（１）がユーザにメッセージを出して、そのブックマークの処理（削除か保持か更新か）を尋ねる。
　ユーザが削除を選択した場合には、ブックマーク削除部（３）が直ちにそのブックマークを削除する。
　ユーザが保持を選択した場合は、なにもせず、ブックマークをそのまま残す。
　ユーザが更新を選択した場合は、ブックマーク更新部（２）がユーザのブックマーク一覧の中に重複するものがないことをチェック後、そのサイトのホームページのＵＲＬにブックマークをつけて保存する。なおホームページのＵＲＬは指定のＵＲＬからサブディレクトリを削除するだけで簡単に求められる。これは、ホームページのＨＴＭＬファイルは、通常そのサイトのルートディレクトリにあるｄｅｆａｕｌｔ．ｈｔｍｌであり、ＵＲＬで指定する際ｄｅｆａｕｌｔ．ｈｔｍｌは省略可能であるためである（図２）。」（第１頁）
　
　上記（ア）の「本技術のブックマーク自動更新方式によるWWWブラウザ」という記載から、引用例１には、ブックマーク機能を備えたWWWブラウザが記載されているといえる。上記（ア）の「WWWブラウザで、あるブックマークがつけられたＵＲＬへ接続する際、そのＵＲＬで指定したＨＴＭＬファイルが見つからない場合に」という記載から、引用例１のWWWブラウザは、ＵＲＬで指定されるＨＴＭＬファイルに接続する手段を備えているといえる。上記（ア）の「サイトのホームページのＵＲＬにブックマークをつけて保存する。」という記載から、引用例１のWWWブラウザは、サイトのホームページのＵＲＬにブックマークをつけて保存する手段を備えているといえる。
　したがって、引用例１には、以下の発明（以下、「引用例１発明」という。）が記載されていると認められる。
　
「ＵＲＬで指定されるＨＴＭＬファイルに接続する手段と、
　サイトのホームページのＵＲＬにブックマークをつけて保存する手段とを
　備えたWWWブラウザ。」
　
（５−２）引用例２
　原査定で引用された特開平８−２２４７３号公報（以下、引用例２という。）には、図面と共に以下の記載がある。
　
（イ）
「【請求項１】　情報提供者が情報を提供する情報提供装置と、
　前記情報提供装置と通信網を介して接続され、前記情報提供装置から提供される情報を受信する利用者端末装置と
　からなる情報検索システムにおいて、
　前記利用者端末装置は、
　　前記通信網を介して前記情報提供装置との間で通信処理を行う利用者通信手段と、
　　前記情報提供装置から前記通信網を介して受信した情報を表示する表示手段と、
　　前記情報提供装置より受信した情報の履歴を記憶する履歴記憶手段と、
　　前記履歴記憶手段に記憶された履歴のうち所定のものを指定する指定手段と、
　　前記指定手段により所定の履歴が指定されたとき、指定された履歴に対応する情報の提供を前記情報提供装置に指令する指令手段と
　を備えることを特徴とする情報検索システム。
　　【請求項２】　前記利用者端末装置は、前記情報提供装置より受信した情報を分類するディレクトリを登録する登録手段を
　さらに備えることを特徴とする請求項１に記載の情報検索システム。
　　【請求項３】　前記履歴記憶手段は、前記情報提供装置より受信した情報の識別子と、前記情報提供装置より受信した情報の受信回数を、前記識別子毎に記憶する
　ことを特徴とする請求項１または２に記載の情報検索システム。
　　【請求項４】　前記表示手段は、前記情報提供装置より受信した情報を、受信回数の多い順番に表示する
　ことを特徴とする請求項３に記載の情報検索システム。」
　
　上記（イ）の記載から、引用例２には以下の発明（以下、「引用例２発明」という。）が記載されてると認められる。
　
「通信網を介して情報提供装置との間で通信処理を行う利用者通信手段と、
前記情報提供装置から前記通信網を介して受信した情報を表示する表示手段と、
前記情報提供装置より受信した情報の履歴を記憶する履歴記憶手段と、
前記履歴記憶手段に記憶された履歴のうち所定のものを指定する指定手段と、
前記指定手段により所定の履歴が指定されたとき、指定された履歴に対応する情報の提供を前記情報提供装置に指令する指令手段とを
　備えた利用者端末装置であって、
　前記履歴記憶手段は、前記情報提供装置より受信した情報の識別子と、前記情報提供装置より受信した情報の受信回数を、前記識別子毎に記憶し、
　前記表示手段は、前記情報提供装置より受信した情報を、受信回数の多い順番に表示することを特徴とする利用者端末装置。」
　
６．対比
　引用例１発明の「ＵＲＬで指定されるＨＴＭＬファイルに接続する手段」及び「WWWブラウザ」は、それぞれ、本願発明の「指定されたアドレスのインタネットのホームページを参照するネットワークアクセス手段」及び「インターネット用ブラウザ」に相当し、引用例１発明の「サイトのホームページのＵＲＬにブックマークをつけて保存する手段」は、本願発明の「前記参照したホームページの内、特定ホームページのアドレスを、該特定ホームページに対する参照回数の情報と共にブックマークファイルに登録するブックマーク管理手段」と、参照したホームページの内、特定ホームページのアドレスをブックマークファイルに登録する点では共通しているから、互いに対応しているといえる。
　したがって、本願発明と引用例１発明とは、
「指定されたアドレスのインタネットのホームページを参照するネットワークアクセス手段と、
　前記参照したホームページの内、特定ホームページのアドレスをブックマークファイルに登録するブックマーク管理手段と、
　を具備したインターネット用ブラウザ。」で一致し、以下の点で相違する。
　
（相違点１）
　本願発明では、ブックマーク管理手段が、特定ホームページのアドレスと共に、該特定ホームページに対する参照回数の情報をブックマークファイルに登録し、ブックマークファイル内のブックマークエントリを、参照回数情報に基づき参照頻度順に並び替える第２アドレスソート手段を備えているのに対して、引用例１発明では、ブックマーク管理手段が、特定ホームページのアドレスのみをブックマークファイルに登録し、ブックマークエントリを、参照回数情報に基づき参照頻度順に並び替える第２アドレスソート手段を備えていない点。
　
（相違点２）
　本願発明では、ブックマーク管理手段が、複数のブックマークエントリを関連づけた別のブックマークエントリを前記ブックマークファイルに登録しているのに対して、引用例１発明では、このような登録を行っていない点。
　
７．当審の判断
　
（相違点１について）
　引用例１発明と引用例２発明は、情報を参照するための利用者用端末装置という共通の技術分野であり、引用例２発明には、情報の受信回数（参照回数）を履歴として保持し、情報を表示する際に、受信回数（参照回数）の多い順に並べ替えて表示している。
　また、本願の明細書において、従来例として記載されている「Ｎｅｔｓｃａｐｅ　Ｎａｖｉｇａｔｏｒ」や、「Ｍｉｃｒｏｓｏｆｔ　Ｉｎｔｅｒｎｅｔ　Ｅｘｐｌｏｒｅｒ」においても、本願の出願前の時点で既に、ブックマークをソートする機能を備えていたと認められる（例えば、吉原　デビッド、Ｂｏｏｋｍａｒｋ超整理法、Ｔｈｅ　ＢＡＳＩＣ、Ｎｏ．１６６，株式会社技術評論社、１９９７．０４．０１、ｐｐ．４６−５１．を参照されたい。）。特に、Ｍｉｃｒｏｓｏｆｔ　Ｉｎｔｅｒｎｅｔ　Ｅｘｐｌｏｒｅｒでは、ブックマークを名前や、更新日時でソート可能であり、さらに履歴ウィンドウでは、タイトルや、前回表示日等でソートが可能であったものと認められる（上記文献の４９頁を参照。）。これらのインターネット用ブラウザの世界シェア１，２位を占める両ブラウザにおいて、ブックマークをソートする構成が本願出願前に既に備えられていたことから、インターネット用ブラウザの技術分野において、ブックマークをソートする構成は、本願出願前に慣用技術であったと認められる。
　してみると、引用例１発明のブックマーク管理手段においても、引用例２発明や、上記慣用技術に基づいて、特定ホームページのアドレスと共に、該特定ホームページに対する参照回数の情報をブックマークファイルに登録し、ブックマークファイル内のブックマークエントリを、参照回数情報に基づき参照頻度順に並び替える第２アドレスソート手段を備える構成を採用することは、当業者が容易に想到し得たものである。
　
（相違点２について）
　情報の検索・閲覧技術の分野において、しおり（ブックマーク）を複数の閲覧対象情報に関連づけて登録しておく技術は、本願出願前に周知であるから（例えば、原査定で周知技術文献として提示された特開平５−２８２４０号公報あるいは特開平６−２７４５４３号公報を参照されたい。）、引用例１発明において、当該周知技術に基づいて、ブックマーク管理手段が、複数のブックマークエントリを関連づけた別のブックマークエントリを前記ブックマークファイルに登録する構成を採用することは、当業者が容易に想到し得たものである。
　
　また、本願発明の効果についてみても、上記構成の採用に伴って、当然に予測される程度のものに過ぎず、格別顕著なものがあるとは認められない。
　
８．むすび
　以上のとおりであるから、本願発明は、引用文献１及び２ならびに慣用技術及び周知技術に基づいて当業者が容易に発明できたものであるから、特許法第２９条第２項の規定により特許を受けることができない。
　したがって、本願は、他の請求項について特に検討するまでもなく、拒絶されるべきものである。
　よって、結論のとおり審決する。